(57)【特許請求の範囲】
【請求項１】
螺子部に螺合するボルトの緩みを防止する螺子緩み防止機構であって、
軸方向に突出する角柱部と、前記角柱部の軸方向に前記ボルトと螺合する螺子部とが形成され、前記螺子部の中心を回転中心として回転する回転軸と、
前記角柱部と嵌合する多角形状の孔と、前記孔から離間した位置に被係合部とが形成され、前記回転軸の回転とともに回動するカムと、
前記ボルトと嵌合する貫通孔と、前記貫通孔を中心として放射状に形成された爪と、前記貫通孔から離間し、前記カムの被係合部と係合する係合部とが形成された板状の爪付きワッシャとを備え、
前記回転軸の角柱部と前記孔とが嵌合した前記カムと、前記カムの被係合部と前記係合部とが係合された前記爪付きワッシャとを前記ボルトで前記回転軸に固定するとともに、
前記爪付きワッシャの爪を、前記ボルトの頭部方向へ曲げ起こし、前記ボルトの頭部の軸方向における側面の平坦部に当接させ、
前記回転軸と、前記ボルトと、前記カムと、前記爪付きワッシャとが一体となって回転するように固定されていることを特徴とする螺子緩み防止機構。
【請求項２】
請求項１に記載の螺子緩み防止機構において、
前記被係合部は、突起部であり、
前記係合部は、前記突起部が係合する孔であることを特徴とする螺子緩み防止機構。
【請求項３】
請求項１に記載の螺子緩み防止機構において、
前記被係合部は、前記カムの回動方向の両側部であり、
前記係合部は、前記両側部を挟む屈曲部であることを特徴とする螺子緩み防止機構。
【請求項４】
請求項１に記載の螺子緩み防止機構において、
前記被係合部は、前記カムに設けられたシャフトであり、
前記係合部は、前記シャフトが嵌合する孔であり、
前記シャフトは、装置側の係合部との係合及びその係合を解除することを特徴とする螺子緩み防止機構。
【請求項５】
請求項１に記載の螺子緩み防止機構において、
前記被係合部は、凹部であり、
前記係合部は、前記凹部に係合する凸部であることを特徴とする螺子緩み防止機構。
【請求項６】
請求項１から請求項５のいずれか１項に記載の螺子緩み防止機構において、
前記爪付きワッシャの爪は、前記貫通孔を中心として放射状に所定の角度を保持して複数形成されていることを特徴とする螺子緩み防止機構。
【請求項７】
螺子部に螺合するボルトの緩みを防止する螺子緩み防止機構を有する自動取引装置であって、
軸方向に突出する角柱部と、前記角柱部の軸方向に前記ボルトと螺合する螺子部とが形成され、前記螺子部の中心を回転中心として回転する回転軸と、
前記角柱部と嵌合する多角形状の孔と、前記孔から離間した位置に被係合部とが形成され、前記回転軸の回転とともに回動するカムと、
前記ボルトと嵌合する貫通孔と、前記貫通孔を中心として放射状に形成された爪と、前記貫通孔から離間し、前記カムの被係合部と係合する係合部とが形成された板状の爪付きワッシャとを備え、
前記回転軸の角柱部と前記孔とが嵌合した前記カムと、前記カムの被係合部と前記係合部とが係合された前記爪付きワッシャとを前記ボルトで前記回転軸に固定するとともに、
前記爪付きワッシャの爪を、前記ボルトの頭部方向へ曲げ起こし、前記ボルトの頭部の軸方向における側面の平坦部に当接させ、
前記回転軸と、前記ボルトと、前記カムと、前記爪付きワッシャとが一体となって回転するように固定されている螺子緩み防止機構を備えたことを特徴とする自動取引装置。
【請求項８】
螺子部に螺合するボルトの緩みを防止する螺子緩み防止機構を有する現金処理機であって、
軸方向に突出する角柱部と、前記角柱部の軸方向に前記ボルトと螺合する螺子部とが形成され、前記螺子部の中心を回転中心として回転する回転軸と、
前記角柱部と嵌合する多角形状の孔と、前記孔から離間した位置に被係合部とが形成され、前記回転軸の回転とともに回動するカムと、
前記ボルトと嵌合する貫通孔と、前記貫通孔を中心として放射状に形成された爪と、前記貫通孔から離間し、前記カムの被係合部と係合する係合部とが形成された板状の爪付きワッシャとを備え、
前記回転軸の角柱部と前記孔とが嵌合した前記カムと、前記カムの被係合部と前記係合部とが係合された前記爪付きワッシャとを前記ボルトで前記回転軸に固定するとともに、
前記爪付きワッシャの爪を、前記ボルトの頭部方向へ曲げ起こし、前記ボルトの頭部の軸方向における側面の平坦部に当接させ、
前記回転軸と、前記ボルトと、前記カムと、前記爪付きワッシャとが一体となって回転するように固定されている螺子緩み防止機構を備えたことを特徴とする現金処理機。
【発明の詳細な説明】
【技術分野】
【０００１】
本発明は、締め付けて固定した螺子の緩みを防止する螺子緩み防止機構、その螺子緩み防止機構を備えた自動取引装置および現金処理機に関する。
【背景技術】
【０００２】
従来の螺子緩み防止機構では、装置の扉の開閉レバーや鍵部分などの固定部において、軸方向の両側面を切り落としたＩカット形状に形成された螺子部にＩカット形状に対応した形状の孔が形成された爪付きワッシャを貫通させた後、その螺子部と螺合する六角ナットで爪付きワッシャを固定し、固定後に爪付きワッシャの爪を折り曲げ、その爪で六角ナットが回転しないように係止することにより、螺子の緩みを防止してレバーや鍵などの脱落を防止しているものがある。
【０００３】
例えば、図１０および図１１に示すように、錠１１１の螺子部１１８の軸方向における両側面には切り落とされたＩカット形状のＩカット面１１９が形成されており、錠１１１に鍵を挿入し、錠１１１を回転させると錠１１１と一体となった螺子部１１８およびカム１１４が回転し、シャフト１１５を回動させるようになっている。また、カム１１４には、錠１１１の螺子部１１８のＩカット面１１９と嵌合する孔が形成されており、螺子部１１８に嵌合されたカム１１４を固定するために六角ナット１１３を螺子部１１８に螺合させるようにしているが、六角ナット１１３の緩みを防止するため、カム１１４と六角ナット１１３との間に、薄い板金で形成された爪付きワッシャ１１７を用いるようにしている。
【０００４】
この爪付きワッシャ１１７は、図１２（ａ）に示すように、錠１１１の螺子部１１８のＩカット面１１９に対応した孔が形成されており、その孔の中心から角度４５度ずつ変位させた三つの爪１１７ａ、１１７ｂ、１１７ｃが形成されている。爪付きワッシャ１１７は、螺子部１１８にカム１１４を差し込んだ後、孔が螺子部１１８に嵌合するように挿入され、さらにその後、六角ナット１１３で固定される。
【０００５】
六角ナット１１３でカム１１４および爪付きワッシャ１１７が固定された後、六角ナット１１３の平坦な側面と平行する爪付きワッシャ１１７の爪部１１７ｂが曲げ起こされ、その爪部１１７ｂで六角ナット１１３を係止し、六角ナット１１３の緩みを防止する。なお、六角ナット１１３の平坦な側面は、図１２（ｂ）に示すように、孔の中心から角度６０度ずつ変位しているため、六角ナット１１３の締め込み状態で６面の側面のうちいずれかの１面において爪付きワッシャ１１７のいずれかの爪部を曲げ起こしたとき、六角ナット１１３の側面と爪付きワッシャ１１７の爪部とを略平行に接触させることができるようになっているため、六角ナット１１３の回転を規制し、緩みの発生を防止することができるようになっていた。
【０００６】
また、ナットを使用せずボルトを用いたものでは、図１３（分解斜視図）および図１４（断面図）に示すように、レバーに接続された回転軸１１０のカム固定部１１０ａは、カム１１４の四角形状の貫通孔１１８と嵌合するように立方体状に形成され、またその中央部にカム１１４を固定するためにボルト１１９が螺合する雌螺子部１１０ｂが形成され、ボルト１１９により回転軸１１０に固定されたカム１１４が回転軸１１０の回転に伴って回動するようになっている。この回転軸１１０のカム固定部１１０ａの高さは、カム１１４の固定を確実に行うため、カム１１４の厚みより０．５ｍｍ程度、低く形成されている。このため、回転軸１１０のカム固定部１１０ａの形状に合わせて孔を形成した爪付きワッシャをカム１１４とボルト１１９との間に用いても、爪付きワッシャはカム固定部１１０ａと係合させることができないため、回転軸１１０に対してボルト１１９の回転を規制することができず、ボルトが緩んでしまう。
そこで、ボルト頭部上面からボルト座面に至るまで貫通する孔に接着剤を封入することでボルト座面と被締付物間を接着して螺子の緩みを防止するようにしているものもある（例えば、特許文献１参照）。
【先行技術文献】
【特許文献】
【０００７】
【特許文献１】特開平６−２３５４１３号公報（段落「００１２」〜段落「００１３」、図１）
【発明の概要】
【発明が解決しようとする課題】
【０００８】
しかしながら、上述した従来の技術においては、螺子部の軸方向の両側面がＩカット形状に形成されていない場合やボルトで固定する場合は、螺子の緩みを防止する爪付きワッシャを使用することができず、螺子の緩みを防止することができないという問題がある。
また、ボルトの頭部上面から接着剤を封入することで螺子と被締付物間とを接着するようにした場合、分解等が困難になり、レバーや鍵の交換等の保守作業が行い難くなるという問題がある。
本発明は、このような問題を解決することを課題とし、接着剤を用いることなく、螺子の緩みを防止することを目的とする。
【課題を解決するための手段】
【０００９】
そのため、本発明は、螺子部に螺合するボルトの緩みを防止する螺子緩み防止機構であって、軸方向に突出する角柱部と、前記角柱部の軸方向に前記ボルトと螺合する螺子部とが形成され、前記螺子部の中心を回転中心として回転する回転軸と、前記角柱部と嵌合する多角形状の孔と、前記孔から離間した位置に被係合部とが形成され、前記回転軸の回転とともに回動するカムと、前記ボルトと嵌合する貫通孔と、前記貫通孔を中心として放射状に形成された爪と、前記貫通孔から離間し、前記カムの被係合部と係合する係合部とが形成された板状の爪付きワッシャとを備え、前記回転軸の角柱部と前記孔とが嵌合した前記カムと、前記カムの被係合部と前記係合部とが係合された前記爪付きワッシャとを前記ボルトで前記回転軸に固定するとともに、前記爪付きワッシャの爪を、前記ボルトの頭部方向へ曲げ起こし、前記ボルトの頭部の軸方向における側面の平坦部に当接させ、前記回転軸と、前記ボルトと、前記カムと、前記爪付きワッシャとが一体となって回転するように固定されていることを特徴とする。
【発明の効果】
【００１０】
このようにした本発明は、接着剤を用いることなく、螺子の緩みを防止することができるという効果が得られる。
【図面の簡単な説明】
【００１１】
【図１】第１の実施例における螺子緩み防止機構の分解斜視図
【図２】第１の実施例における螺子緩み防止機構の斜視図
【図３】第１の実施例における爪付きワッシャの平面図
【図４】第１の実施例における爪を折り曲げた状態の爪付きワッシャの平面図
【図５】第１の実施例における螺子緩み防止機構の平面図
【図６】第１の実施例における螺子緩み防止機構の断面図
【図７】第２の実施例における爪付きワッシャおよびカムの斜視図
【図８】第３の実施例における爪付きワッシャおよびカムの斜視図
【図９】第４の実施例における爪付きワッシャおよびカムの斜視図
【図１０】従来例における螺子緩み防止機構の分解斜視図
【図１１】従来例における螺子緩み防止機構の斜視図
【図１２】従来例における爪付きワッシャおよびナットの斜視図
【図１３】従来例における螺子緩み防止機構の斜視図
【図１４】従来例における螺子緩み防止機構の断面図
【図１５】第１の実施例における螺子緩み防止機構を取り付けた装置の斜視図
【発明を実施するための形態】
【００１２】
以下、図面を参照して本発明による螺子緩み防止機構、自動取引装置および現金処理機の実施例を説明する。
【実施例１】
【００１３】
図１は第１の実施例における螺子緩み防止機構の分解斜視図、図２は第１の実施例における螺子緩み防止機構の斜視図である。
図１および図２において、装置の扉の開閉レバーや鍵部分などの固定部に使用され、螺子部に螺合するボルトの緩みを防止する螺子緩み防止機構１は、レバー１０と、回転軸１１と、カム固定部１２と、螺子部１３と、カム１４と、シャフト１５と、爪付きワッシャ１７と、ボルト１９とにより構成されている。
【００１４】
この螺子緩み防止機構１は、例えば図１５に示すように、銀行等の金融機関に設置される現金自動預払機や無人契約機、交通機関に設置される自動券売機や航空券発券機等の自動取引装置１００、または現金の計数や紙幣束の作成を行う現金処理機１０１等の扉に備えられるものである。
レバー１０は、装置の操作者等により操作がされて図２中の矢印Ｂが示す方向に回動可能になっている。
【００１５】
回転軸１１は、一端部にレバー１０が取り付けられており、レバー１０の回動とともに回転するものである。
カム固定部１２は、回転軸１１のレバー１０が取り付けられた端部とは反対側の端部に、軸方向に突出した角柱部として略直方体状に形成されたものである。なお、本実施例では、カム固定部１２を略直方体状としたがそれに限られることなく、略立方体状でも良く、３角柱や６角柱等の多角柱であっても良い。
【００１６】
螺子部１３は、回転軸１１の回転中心を中心としてカム固定部１２の中央部に、軸方向に延在するように形成された雌螺子である。この螺子部１３は、ボルト１９が螺合するものである。
このように回転軸１１には、カム固定部１２および螺子部１３が形成され、そのカム固定部１２および螺子部１３の中心を回転中心として回転する。
【００１７】
カム１４は、回転軸１１の回転とともに回転する板金等の板状のものであり、回転軸１１のカム固定部１２が嵌合される多角形状の孔としての貫通孔１４ａが四角形状に形成されている。したがって、カム１４は貫通孔１４ａを回転中心として図１中の矢印Ａが示す方向に回転する。なお、本実施例では、貫通孔１４ａを四角形状のものとして説明するが、それに限られることなく、カム固定部１２の形状に合わせて３角形や６角形等の多角形としても良い。
また、カム１４には、貫通孔１４ａから離間した位置に、後述する爪付きワッシャ１７に形成された係合部としての係合孔と係合する被係合部としての突起部１６が形成されている。
【００１８】
シャフト１５は、カム１４の端部に形成された棒状のものであり、カム１４の回動に伴って移動し、図示しない装置側の係合部との係合およびその係合を解除するものである。
爪付きワッシャ１７は、ボルト１９の緩みを防止する板金等の板状の部材であり、ボルト１９の雄螺子部を貫通させる貫通孔としての孔１８ａと、孔１８ａから離間した位置にカム１４の突起部１６と係合する係合部としての係合孔１８ｂとが形成されている。
【００１９】
爪付きワッシャ１７の孔１８ａにボルト１９の雄螺子部を貫通させ、係合孔１８ｂをカム１４の突起部１６と係合させることにより、爪付きワッシャ１７は、回転軸１１の回転とともに、カム１４と一体となって孔１８ａを中心として回動可能になっている。
また、この爪付きワッシャ１７には、孔１８ａを中心として放射状に所定の角度を保持して配置された複数の爪が形成されている。なお、爪付きワッシャ１７の詳細は後述する。
【００２０】
ボルト１９は、カム固定部１２の螺子部１３と螺合する雄螺子部が形成されたものであり、カム１４および爪付きワッシャ１７を回転軸１１に固定するものである。このボルト１９の頭部には、軸方向における側部に６箇所の平坦な側面が形成されている。なお、本実施例では、ボルト１９の頭部に６箇所の平坦な側面が形成されているものとして説明するが、それに限られることなく、５箇所以下または７箇所以上の平坦な側面が形成されていても良い。
【００２１】
図３は第１の実施例における爪付きワッシャの平面図、図４は第１の実施例における爪を折り曲げた状態の爪付きワッシャの平面図である。
図３において、爪付きワッシャ１７は、３つの爪１７ａ、爪１７ｂ、爪１７ｃが形成されており、それぞれの爪１７ａ、爪１７ｂ、爪１７ｃは孔１８ａの中心１８ｃを中心として放射状に延在し、所定の角度α（例えば、４５度）を成して配置されている。この爪付きワッシャ１７は、板金等で形成されているため、それぞれの爪１７ａ、爪１７ｂ、爪１７ｃは、図４に示すように折り曲げ可能に構成されている。なお、図４は爪１７ａを折り曲げた状態を示している。また、本実施例では、爪を３つとして説明するが、それに限られることなく、２つ以下または４つ以上であっても良い。
【００２２】
図１に示すように、爪付きワッシャ１７に形成された３つの爪１７ａ、爪１７ｂ、爪１７ｃのいずれかをボルト１９の頭部方向に曲げ起こすことにより、爪の平面部をボルト１９の頭部のいずれかひとつの平坦な側面に当接させることができ、ボルト１９の回転を抑止し、緩みを防止することができるようになっている。
また、孔１８ａから離間した位置に係合孔１８ｂが形成されており、その係合孔１８ｂは、製造誤差や取り付け誤差等を吸収するため孔１８ａの中心１８ｃから延在するように略長方形状に形成された長孔となっている。なお、本実施例では、係合孔１８ｂを長孔として説明するが、カムの回動方向に対して突起部に隙間なく係合するものであれば、長孔に限定されるものではない。
【００２３】
上述した構成の作用について説明する。
図５は第１の実施例における螺子緩み防止機構の平面図、図６は第１の実施例における螺子緩み防止機構の断面図であり、図６は図５におけるＣＣ断面図である。
図５および図６において、回転軸１１のカム固定部１２に、カム１４の貫通孔１４ａを嵌合させ、さらに爪付きワッシャ１７の孔１８ａを貫通孔１４ａに合わせるとともに、係合孔１８ｂとカム１４の突起部１６とを嵌合させる。その後、ボルト１９を爪付きワッシャ１７の孔１８ａを貫通させ、カム固定部１２の螺子部１３に螺合させて、ボルト１９によりカム１４および爪付きワッシャ１７を回転軸１１に固定する。
【００２４】
なお、回転軸１１のカム固定部１２の高さは、カム１４の固定を確実に行うため、カム１４の厚みより０．５ｍｍ程度、低く形成されているものとする。
このように、爪付きワッシャ１７の係合孔１８ｂとカム１４の突起部１６とを嵌合させることにより、爪付きワッシャ１７はカム１４に対して回転しなくなり、回転軸１１、カム１４、爪付きワッシャ１７、およびボルト１９は一体となって回転する。
【００２５】
また、ボルト１９をカム固定部１２の螺子部１３に螺合させて爪付きワッシャ１７およびカム１４を固定した後、ボルト１９の頭部１９ａのいずれかの平坦な側面１９ｂに対応する爪付きワッシャ１７の爪１７ａ、爪１７ｂ、または爪１７ｃ（本実施例では、爪１７ａ）をボルト１９の頭部１９ａ方向へ曲げ起こし、ボルト１９の頭部１９ａの軸方向における側面１９ｂの平坦部に当接させることにより、ボルト１９の回転を抑制し、緩みを防止することができる。
【００２６】
以上説明したように、第１の実施例では、爪付きワッシャの係合孔とカムの突起部とを嵌合させ、ボルトをカム固定部の螺子部に螺合させて爪付きワッシャおよびカムを固定した後、ボルトのいずれかの平坦な側面に対応する爪付きワッシャの爪を曲げ起こし、ボルトの側面に当接させることにより、ボルトの回転を抑制し、緩みを防止することができるという効果が得られる。
【実施例２】
【００２７】
図７は第２の実施例における爪付きワッシャおよびカムの斜視図である。なお、上述した第１の実施例と同様の部分は、同一の符号を付してその説明を省略する。
図７において、爪付きワッシャ１７には、カム１４の回動方向（図中矢印Ａが示す方向）の両側部（被係合部）を挟み込む係合部として二つの曲げ部（屈曲部）２０が形成されている。
爪付きワッシャ１７の二つの曲げ部２０とカム１４の両側面とを係合させることにより、爪付きワッシャ１７はカム１４に対して回転しなくなり、回転軸１１、カム１４、爪付きワッシャ１７、およびボルト１９は一体となって回転する。
【００２８】
したがって、第１の実施例と同様に、ボルト１９をカム固定部１２の螺子部１３に螺合させて爪付きワッシャ１７およびカム１４を固定した後、図５に示すようにボルト１９の頭部１９ａのいずれかの平坦な側面１９ｂに対応する爪付きワッシャ１７の爪１７ａ、爪１７ｂ、または爪１７ｃをボルト１９の頭部１９ａ方向へ曲げ起こし、ボルト１９の頭部１９ａの軸方向における側面１９ｂの平坦部に当接させることにより、ボルト１９の回転を抑制し、緩みを防止することができる。
【００２９】
以上説明したように、第２の実施例では、爪付きワッシャの曲げとカムの側面とを係合させ、ボルトをカム固定部の螺子部に螺合させて爪付きワッシャおよびカムを固定した後、ボルトのいずれかの平坦な側面に対応する爪付きワッシャの爪を曲げ起こし、ボルトの側面に当接させることにより、ボルトの回転を抑制し、緩みを防止することができるという効果が得られる。
【実施例３】
【００３０】
図８は第３の実施例における爪付きワッシャおよびカムの斜視図である。なお、上述した第１の実施例と同様の部分は、同一の符号を付してその説明を省略する。
図８において、爪付きワッシャ１７には、カム１４のシャフト１５（被係合部）を貫通させる係合部としての貫通孔２１が形成されている。
爪付きワッシャ１７の貫通孔２１とカム１４のシャフト１５とを嵌合させることにより、爪付きワッシャ１７はカム１４に対して回転しなくなり、回転軸１１、カム１４、爪付きワッシャ１７、およびボルト１９は一体となって回転する。
【００３１】
したがって、第１の実施例と同様に、ボルト１９をカム固定部１２の螺子部１３に螺合させて爪付きワッシャ１７およびカム１４を固定した後、図５に示すようにボルト１９の頭部１９ａのいずれかの平坦な側面１９ｂに対応する爪付きワッシャ１７の爪１７ａ、爪１７ｂ、または爪１７ｃをボルト１９の頭部１９ａ方向へ曲げ起こし、ボルト１９の頭部１９ａの軸方向における側面１９ｂの平坦部に当接させることにより、ボルト１９の回転を抑制し、緩みを防止することができる。
【００３２】
以上説明したように、第３の実施例では、爪付きワッシャの貫通孔とカムのシャフトとを嵌合させ、ボルトをカム固定部の螺子部に螺合させて爪付きワッシャおよびカムを固定した後、ボルトのいずれかの平坦な側面に対応する爪付きワッシャの爪を曲げ起こし、ボルトの側面に当接させることにより、ボルトの回転を抑制し、緩みを防止することができるという効果が得られる。
【実施例４】
【００３３】
図９は第４の実施例における爪付きワッシャおよびカムの斜視図である。なお、上述した第１の実施例と同様の部分は、同一の符号を付してその説明を省略する。
図９において、爪付きワッシャ１７の端部には、カム１４に形成された凹部としての角穴１４ａ（被係合部）に係合する係合部としての曲げ部（凸部）２２が形成されている。
爪付きワッシャ１７の曲げ部２２とカム１４の角穴１４ａとを係合させることにより、爪付きワッシャ１７はカム１４に対して回転しなくなり、回転軸１１、カム１４、爪付きワッシャ１７、およびボルト１９は一体となって回転する。
【００３４】
したがって、第１の実施例と同様に、ボルト１９をカム固定部１２の螺子部１３に螺合させて爪付きワッシャ１７およびカム１４を固定した後、図５に示すようにボルト１９の頭部１９ａのいずれかの平坦な側面１９ｂに対応する爪付きワッシャ１７の爪１７ａ、爪１７ｂ、または爪１７ｃをボルト１９の頭部１９ａ方向へ曲げ起こし、ボルト１９の頭部１９ａの軸方向における側面１９ｂの平坦部に当接させることにより、ボルト１９の回転を抑制し、緩みを防止することができる。
【００３５】
以上説明したように、第４の実施例では、爪付きワッシャの曲げとカムの角穴とを係合させ、ボルトをカム固定部の螺子部に螺合させて爪付きワッシャおよびカムを固定した後、ボルトのいずれかの平坦な側面に対応する爪付きワッシャの爪を曲げ起こし、ボルトの側面に当接させることにより、ボルトの回転を抑制し、緩みを防止することができるという効果が得られる。
【符号の説明】
【００３６】
１    螺子緩み防止機構
１０  レバー
１１  回転軸
１２  カム固定部
１３  螺子部
１４  カム
１４ａ  孔
１５  シャフト
１６  突起部
１７  爪付きワッシャ
１７ａ、１７ｂ、１７ｃ  爪
１８ａ  孔
１８ｂ  係合孔
１９  ボルト
１９ａ  頭部
１９ｂ  側面
２０、２２  曲げ部
２１  貫通孔
１００  自動取引装置
１０１  現金処理機
【図１】
0005845793.tif 000002
【図２】
0005845793.tif 000003
【図３】
0005845793.tif 000004
【図４】
0005845793.tif 000005
【図５】
0005845793.tif 000006
【図６】
0005845793.tif 000007
【図７】
0005845793.tif 000008
【図８】
0005845793.tif 000009
【図９】
0005845793.tif 000010
【図１０】
0005845793.tif 000011
【図１１】
0005845793.tif 000012
【図１２】
0005845793.tif 000013
【図１３】
0005845793.tif 000014
【図１４】
0005845793.tif 000015
【図１５】
0005845793.tif 000016